(57)【要約】【課題】  砕機により破砕された破砕廃棄物を選別装置に送る過程において、破砕廃棄物中の長尺ごみを除去する。【解決手段】  長尺ごみ除去装置は、ごみ搬送コンベヤ11と、コンベヤ11で搬送されるごみＤに含まれる長尺ごみＴを巻き取るための２つの巻取り棒12と、両巻取り棒12の基端部が回転軸線を挟んでその両側に取付られている回転体13と、両巻取り棒12の先端部がごみ搬送経路内に対し進退しうるように回転体13を移動させる移動機構14と、両巻取り棒12の先端部がその基端部間の間隔よりも拡げられた開き姿勢と、両巻取り棒の先端部がその基端部間の間隔よりも狭められた閉じ姿勢の間で両巻取り棒12を開閉させる開閉機構15を備えている。各巻取り棒12の先端部に、これに巻取られた長尺ごみＴの落下防止部材34が設けられている。【選択図】  図２
2007007597.tif 000002
【特許請求の範囲】
【請求項１】
ごみ搬送コンベヤと、コンベヤで搬送されるごみに含まれる長尺ごみを巻き取るための２つの巻取り棒と、両巻取り棒の基端部が回転軸線を挟んでその両側に取付られている回転体と、両巻取り棒の先端部がごみ搬送経路内に対し進退しうるように回転体を移動させる移動機構とを備えており、各巻取り棒の先端部に、これに巻取られた長尺ごみの落下防止部材が設けられている長尺ごみ除去装置。
【請求項２】
落下防止部材が、巻取り棒の半径方向に突出させられた略半円板よりなる請求項１に記載の長尺ごみ除去装置。
【請求項３】
両巻取り棒に巻取られた長尺ごみを両巻取り棒から落下させるように切断する切断装置を備えている請求項１または２に記載の長尺ごみ除去装置。
【請求項４】
切断装置によって切断されて両巻取り棒から落下させられる長尺ごみを受止めうるようにごみ回収コンベヤが配置されている請求項３に記載の長尺ごみ除去装置。
【発明の詳細な説明】
【技術分野】
【０００１】
この発明は、たとえば一般家庭から排出されたごみを処理するごみ処理施設において、粗大ごみや不燃ごみ等の廃棄物を破砕機で破砕した後に、破砕廃棄物中に含まれる長尺ごみを除去する装置に関する。
【０００２】
この明細書において、「長尺ごみ」とは、ビデオテープやオーディオテープのケースを破砕した後にケースから取り出された磁気テープや、包装用ひもおよび包装用テープ類を意味するものとする。
【背景技術】
【０００３】
粗大ごみや不燃ごみ等の廃棄物は、破砕機で破砕された後、複数のベルトコンベアによりふるい式選別装置や風力選別装置に送られ、ここで小形不燃物、アルミニウムを含んだ中形混合物、および大形可燃物に選別される。
【０００４】
ところが、破砕廃棄物中に長尺ごみが含まれている場合、このような長尺ごみは、ふるい式選別装置のふるい目を閉塞させたり、あるいは風力選別装置内に滞留して風路の障害となり、いずれの場合も選別効率が低下する。
【０００５】
そのため、破砕廃棄物中から長尺ごみを除去する必要があるが、従来は、作業員による手作業で行われており、このような長尺ごみ除去作業は、劣悪な環境下における危険な重労働であった。
【０００６】
そこで、本出願人は、先に、長尺ごみ除去機能を有するふるい式選別装置を提案している。このふるい式選別装置は、破砕廃棄物が投入される回転ドラムと、回転ドラム内に配置されかつ横向きのフィンガを複数有する長尺ごみ巻取フォークとを備えており、回転ドラムの一端部内に廃棄物投入ダクトが臨ませられ、回転ドラムの他端部に大片回収シュートに臨んだ大片排出口が形成され、回転ドラムの円筒状胴壁における廃棄物投入側部分に複数の小片選別用ふるい目が形成され、同じく円筒状胴壁における小片選別用ふるい目よりも大片排出口側の部分に複数の中片選別用ふるい目が形成され、長尺ごみ巻取フォークが横向き回転軸の周りに回転するようになされている（特許文献１参照）。
【０００７】
このふるい式選別装置によれば、回転ドラム内に投入された破砕廃棄物中の長尺ごみの除去は可能であり、長尺ごみの小片選別用ふるい目や中片選別用ふるい目の周囲への絡みつきによるふるい目の閉塞が防止されるようになっている。
【０００８】
しかしながら、破砕機から選別装置へ破砕廃棄物を搬送する過程において、長尺ごみが他の破砕廃棄物に絡み、破砕廃棄物搬送装置の途中において詰まりが発生するという問題は解消されていない。
【０００９】
また、風力式選別装置の場合には、長尺ごみを除去する機能を持つものが存在しないのが現状である。
【特許文献１】特開２０００−２０２３６５号公報
【発明の開示】
【発明が解決しようとする課題】
【００１０】
この発明の目的は、上記問題を解決し、破砕機により破砕された破砕廃棄物を選別装置に送る過程において、破砕廃棄物中の長尺ごみを除去しうる長尺ごみ除去装置を提供することにある。
【課題を解決するための手段】
【００１１】
この発明による長尺ごみ除去装置は、ごみ搬送コンベヤと、コンベヤで搬送されるごみに含まれる長尺ごみを巻き取るための２つの巻取り棒と、両巻取り棒の基端部が回転軸線を挟んでその両側に取付られている回転体と、両巻取り棒の先端部がごみ搬送経路内に対し進退しうるように回転体を移動させる移動機構とを備えており、各巻取り棒の先端部に、これに巻取られた長尺ごみの落下防止部材が設けられているものである。
【００１２】
この発明による長尺ごみ除去装置では、巻取り棒をごみ搬送経路内に進入させて回転させることにより、長尺ごみを巻取り棒に巻き取ることができる。そして、巻取り棒をごみ搬送経路内から退去させて適所まで移動させ、巻取り棒からこれに巻取られた長尺ごみを除去すればよい。
【００１３】
さらに、各巻取り棒の先端部に、これに巻取られた長尺ごみの落下防止部材が設けられているから、巻取り棒から長尺ごみが不用意に落下することがない。
【００１４】
また、落下防止部材が、巻取り棒の半径方向に突出させられた略半円板よりなると、巻取り棒に長尺ごみを巻取る際に、落下防止部材が邪魔にならない。
【００１５】
また、両巻取り棒に巻取られた長尺ごみを両巻取り棒から落下させるように切断する切断装置を備えていると、巻取られた長尺ごみを確実に切断除去することができる。
【００１６】
また、切断装置によって切断されて両巻取り棒から落下させられる長尺ごみを受止めうるようにごみ回収コンベヤが配置されていると、長尺ごみを速やかに回収することができる。
【発明を実施するための最良の形態】
【００１７】
この発明の実施の形態を図面を参照しながらつぎに説明する。
【００１８】
以下の説明において、前後とは、ごみが搬送されて進む側を前（図１の右側）、これと反対側を後といい、左右とは、前方より見て、その左右の側を左右（図２の左右）というものとする。
【００１９】
図１および図２を参照すると、ごみ除去装置は、ごみ除去ステーションＳを経由して前向きにのびている長尺ごみＴを含む破砕ごみＤを搬送するための破砕ごみ搬送コンベヤ11と、ごみ除去ステーションＳにおいて長尺ごみＴを巻き取るための２つの垂直状巻取り棒12と、両巻取棒12の基端部が回転軸線を挟んでその両側に取付られている回転体13と、両巻取棒12の先端部がごみ搬送経路内に対し進退しうるように回転体13を移動させる移動機構14と、両巻取棒12を開閉させる開閉機構15と、回転体13を回転させる回転機構16と、両巻取り棒12に巻取られた長尺ごみＴを切断する切断装置270と、切断装置270によって切断された長尺ごみＴを受止めうるように配置されかつ破砕ごみ搬送コンベヤ11と平行にのびているごみ回収コンベヤ202とを備えている。
【００２０】
コンベヤ11は、ベルトコンベヤであって、ベルト21と、ベルト21を挟んでその両側に対向状に設けられている左右一対の垂直板状サイドフレーム22と、ごみ除去ステーションＳにごみ除去口23を形成するように両サイドフレーム22の上端に渡されている防塵カバー24とを備えている。
【００２１】
両巻取棒12は、全体として、丸棒状をなす同一構造のものである。図４を参照すると、巻取棒12は、長さ方向に順次連なる上部31、中間部32および下部33よりなる。上部31は、外面を平滑とする丸棒よりなる。中間部32は、コイルばねよりなる。中間部32にはごみ噛込み防止カバー34が被せられている。下部33は、外面にローレットを施した丸棒よりなる。また、中間部32および下部33を上記のように構成することに代えて、中間部32および下部33の全体をゴムのような弾性材料で構成してもよい。
【００２２】
下部33外面の下端部にはこれと一体的に落下防止部材34が設けられている。落下防止部材34は、図５に示すように、下部33外面から半径方向に突出させられた略半円板よりなる。
【００２３】
回転体13は、円板状のものである。図６に詳細に示すように、回転体13上面の回転軸線上には上方突出状吊持軸41が設けられている。回転体13下面の外周縁部には２つの凹所42が等間隔で形成されている。各凹所42には吊持ピン43が渡されている。両吊持ピン43は、回転体13の回転軸線を挟んでその両側を互いに平行にのびかつ同回転軸線と交差させられている。各吊持ピン43には巻取棒12の基端部が取付られている。回転体13の外周面には、両巻取棒12の上部を被覆した有底筒状保護カバー44の胴壁上端が固定されている。保護カバー44の底壁には、両吊持ピン43を貫通させたスリット45が形成されている。
【００２４】
移動機構14は、回転体13の軸線と交差する方向にのびて吊持軸41を支持しかつ基部にアーム長さ方向にのびた回動軸211を有する回動アーム212と、回動軸211の回動を自在とするようにはめ被せられたボス213を有する揺動体214と、揺動体214が固定されかつ回動軸211の下方をこれと交差するようにのびている揺動軸215と、揺動軸215を支持している旋回台216と、除去ステーションＳにおける破砕ごみ搬送コンベヤ11の左方に立てられた支持スタンド217に支持されかつ上端が旋回台216に固定されている垂直旋回軸218と、回動軸211を回動させる回動機構221と、揺動軸215を揺動させる揺動機構222と、旋回軸218を旋回させる旋回機構223とよりなる。
【００２５】
破砕ごみ搬送コンベヤ11を挟んで支持スタンド217の反対側には、水平姿勢の回動アーム212の先端を支持しうるように支持ポスト219が立てられている。
【００２６】
主として、図２および図７を参照すると、回動機構221は、回動軸211に上向きに固定されている略半円形従動歯車231と、従動歯車231と噛み合わされた駆動歯車232と、駆動歯車232が固定された出力軸を有しかつ揺動体214上に装備されている回動アーム用モータ233とを備えている。
【００２７】
揺動機構222は、揺動軸215に固定されているウォームホイール241と、ウォームホイール241と噛み合わされかつ旋回台216上に支持されているウォーム242と、ウォーム242に固定されている従動プーリ243と、従動プーリ243とベルト244によって連結されている駆動プーリ245と、駆動プーリ245が固定された出力軸を有する揺動体用モータ246とを備えている。
【００２８】
旋回機構223は、旋回軸218の下端に連結された出力軸を有しかつ支持スタンド217に上向きに装備されている旋回軸用モータ251とを備えている。
【００２９】
開閉機構15は、図６に詳細に示すように、保護カバー44内において両巻取棒12の高さの中程に各外端が外連結ピン61を介して連結されている一対の開閉ロッド62と、両端に両開閉ロッド62の内端が内連結ピン63を介してそれぞれ連結されている連結ロッド64と、下端が連結ロッド64の長さの中程にロータリジョイント65を介して連結されかつ回転体13および吊持軸41の軸線上に摺動自在に貫通させられている進退ロッド66と、進退ロッド66の上端に連結されたねじ棒を有するボールねじ機構204と、ボールねじ機構204を駆動するためのモータ203とを備えている。
【００３０】
図６中実線で示す状態では、両巻取棒12は互いに平行にのびている。この状態を、中間姿勢と称する。中間姿勢の状態から、モータ203を正回転させると、連結ロッド64、進退ロッド66および両開閉ロッド62の内端部が下降させられ、その結果、図６中１点鎖線で示すように、両巻取棒12の先端部がその基端部間の間隔よりも拡げられた開き姿勢となる。これとは逆に、中間姿勢の状態から、同モータ203を逆回転させると、連結ロッド64、進退ロッド66および両開閉ロッド62の内端部が上昇させられ、その結果、図６中２点鎖線で示すように、両巻取棒12の先端部がその基端部間の間隔よりも狭められた閉じ姿勢となる。
【００３１】
回転機構16は、吊持軸41に固定されている従動プーリ71と、従動プーリ71とベルト72によって連結されている駆動プーリ73と、駆動プーリ73が固定されている出力軸を有する回転体用モータ74とを備えている。
【００３２】
回転体用モータ74を作動させると、吊持軸41とともに回転体13が回転させられ、回転体13とともに両巻取棒12が回転体13の回転軸線のまわりを回転させられる。両巻取棒12とともに両開閉ロッド62および連結ロッド64も回転させられるが、この回転は、ロータリジョイント65によって進退ロッド66には伝達遮断される。
【００３３】
ごみ除去口23のコンベヤ搬送経路上流側縁部に第１センサ261が前斜め下向きに取付られている。同下流側縁部には第２センサ262後斜め下向きに取付られている。回動アーム212の先端近くに第３センサ263が垂下状ブラケット264を介して取付られている。第３センサ263は、巻取り棒12の方向に向けられている。
【００３４】
回動アーム用モータ233の作動により、駆動歯車232および従動歯車231を回転させると、回動軸211とともに回動アーム212が回動させられる。これを、図３中矢印Ｇで示す。回動アーム212の回動により、回転体13とももに巻取り棒12は、回動軸211を中心として揺動させられる。
【００３５】
巻取り棒12が垂直姿勢のときに、ここに大型ごみが搬送されてくると、巻取り棒12を垂直姿勢からコンベヤ搬送経路下流側に向かって揺動させて、傾斜姿勢にする。そうすると、巻取り棒12に大型ごみが衝突することを回避できる。
【００３６】
揺動体用モータ246の出力軸の回転は、従動プーリ243、ベルト244および駆動プーリ245によってウォーム242に伝達される。ウォーム242は、ウォームホイール241を駆動し、ウォームホイール241とともに揺動軸215を揺動させる。揺動軸215が揺動させられると、揺動体214が回動アーム212とともに揺動し、回動アーム212が、図２中矢印Ｅで示すように、水平姿勢と垂直姿勢の間で揺動させられる。旋回軸用モータ251を作動させると、旋回軸218が、旋回台216、揺動体214および回動アーム212と一体となって旋回させられるる。回動アーム212がコンベヤ搬送経路を上方から臨む巻取位置と、これから時計方向に１８０度回転し、ごみ回収コンベヤ202を上方から臨む回収位置の間で旋回させられる。これを、図１中矢印Ｆで示す。
【００３７】
切断装置270は、ロータリカッタ271と、ロータリカッタ271が先端に取付られかつロータリカッタ271を、巻取り棒12に巻取られた長尺ごみＴと交差させられてこれを切断させうるように配置されている上下揺動アーム272とを備えている。
【００３８】
図２は、予備巻取り作業を行っている状態を示している。巻取り棒12は、中間姿勢である。第３センサ263がごみ有を検出すると、回動アーム212を水平姿勢から垂直姿勢にして、予備巻取り作業から本巻取り作業へ移行する。図８に、本巻取り作業の状態が示されている。巻取り棒12は開き姿勢に変更させられている。本巻取り作業中に、第３センサ263がごみ有を検出している状態で、第１および第２センサ261、262がごみ無を検出すると、本巻取り作業を終了する。回動アーム212を巻取り位置から回収位置まで旋回させて、回収コンベヤ202上で回動アーム212を垂直姿勢から水平姿勢にして、巻取り棒12からこれに巻き付いていた長尺ごみＴを除去する。図９に、ごみ除去動作が示されている。巻取り棒12を閉じ姿勢にすると、長尺ごみＴが巻取り棒12から自重によって落下除去される。長尺ごみが自重によって落下しない場合、これを切断装置270によって切断除去する。第３センサ263がごみ無を検出すると、回収動作を完了させる。除去されたごみＴは、コンベヤ202によって搬送されていく。
【図面の簡単な説明】
【００３９】
【図１】この発明によるごみ除去装置の平面図である。
【図２】図１のII−II線にそう垂直断面図である。
【図３】図１のIII−III線にそう方向から見た側面図である。
【図４】同ごみ除去装置の巻取り棒の拡大図である。
【図５】同巻取り棒の底面図である。
【図６】図２の一部を拡大して示す断面図である。
【図７】図１のVII−VII線にそう断面図である。
【図８】巻取り状態を示す図２相当の断面図である。
【図９】ごみ除去状態を示す同ごみ除去装置の側面図である。
【図１０】図９のＸ−Ｘ線矢視図である。
【符号の説明】
【００４０】
12  巻取り棒
13  回転体
14  移動機構
15  開閉機構
16  回転機構
34  落下防止部材
Ｄ  ごみ
Ｔ  長尺ごみ
【図１】
2007007597.tif 000003
【図２】
2007007597.tif 000004
【図３】
2007007597.tif 000005
【図４】
2007007597.tif 000006
【図５】
2007007597.tif 000007
【図６】
2007007597.tif 000008
【図７】
2007007597.tif 000009
【図８】
2007007597.tif 000010
【図９】
2007007597.tif 000011
【図１０】
2007007597.tif 000012